(57)【要約】      （修正有）【課題】植物の根部に適度の酸素を供給することはもちろんのこと、受け皿を清掃するときや鉢を移動するとき等の手入れの際に粒状の活性炭素が散乱しない等の保守性にも優れる植物生育補助体を提供する。【解決手段】植物生育補助体１は、粒径が１０ミリメートル以下である粒状の活性炭素２と、上端に開口部を有し活性炭素２を内包する小分け袋体３と、上端に開口部を有し複数の小分け袋体３を内包するまとめ袋体４とで構成する。活性炭素２から放出した酸素等は、小分け袋体３及びまとめ袋体４を透過し対象植物の根部に供給される。【選択図】図１
0003197716.tif 000002
【実用新案登録請求の範囲】
【請求項１】
根付き植物の生育又は栽培を補助する植物生育補助体であって、
粒状の活性炭素と、
少なくとも一端に開口部を有し前記活性炭素を内包した小分け袋体と、
少なくとも一端に開口部を有し複数の前記小分け袋体を内包したまとめ袋体と、
で構成し、
前記小分け袋体に封入した前記活性炭素から放出した流体が前記小分け袋体及び前記まとめ袋体を透過することを特徴とする植物生育補助体。
【請求項２】
前記活性炭素の粒径が１０ミリメートル以下である請求項１の植物生育補助体。
【考案の詳細な説明】
【技術分野】
【０００１】
本願考案は、根付き植物の根部に適度の酸素を供給する植物生育補助体に関するものである。
【背景技術】
【０００２】
鉢植え等で植物を生育又は栽培する際に重要なことは、植物の根部に適度の酸素が供給されるようにすることである。このことを指摘している従来文献も存在はする（例えば、特許文献１）。
【先行技術文献】
【特許文献】
【０００３】
【特許文献１】特開平９−６５７８４号公報
【考案の概要】
【考案が解決しようとする課題】
【０００４】
前述したように、鉢植え等で根付き植物を生育又は畑等で根付き野菜を栽培する際に植物の根部に適度の酸素が供給されるようにするために、種々の方法が試行錯誤されている。
【０００５】
植物の根部に適度の酸素が供給されるようにするために、活性炭素を利用する方法もいくつかは存在する。出願人も、活性炭素を利用する方法を試行錯誤する過程で、鉢底に配備した受け皿に粒状の活性炭素を直接供給した。このケースにおいて、植物の根部に適度の酸素が供給されているものと思われる生育効果は得られたものの、鉢底に配備した受け皿を清掃するときや鉢を移動するとき等の手入れの際に、粒状の活性炭素が散乱してしまい不便であった。
【０００６】
また、鉢の大きさや植物の種類あるいは対象植物の状態などに対応させて、供給する粒状の活性炭素の量を増減・調整することも面倒であった。
【０００７】
そこで、本願考案が解決しようとする課題は、植物の根部に適度の酸素が供給されるようにすることはもちろんのこと、鉢底に配備した受け皿の清掃をするときや鉢を移動するとき等の手入れの際に、粒状の活性炭素が散乱しない等の保守性にも優れる植物生育補助体を提供することである。
【０００８】
また、本願考案が解決しようとする課題は、鉢の大きさや植物の種類あるいは対象植物の状態などに対応させて、供給する粒状の活性炭素の量を増減・調整することを容易にする植物生育補助体を提供することである。
【課題を解決するための手段】
【０００９】
本願考案は、根付き植物の生育又は栽培を補助する植物生育補助体であって、粒状の活性炭素と、少なくとも一端に開口部を有し前記活性炭素を内包した小分け袋体と、少なくとも一端に開口部を有し複数の前記小分け袋体を内包したまとめ袋体と、で構成し、前記小分け袋体に封入した前記活性炭素から放出した流体が前記小分け袋体及び前記まとめ袋体を透過することを特徴とする植物生育補助体を提供する。
【００１０】
また、本願考案は、根付き植物の生育又は栽培を補助する植物生育補助体であって、粒径が１０ミリメートル以下である粒状の活性炭素と、少なくとも一端に開口部を有し前記活性炭素を内包した小分け袋体と、少なくとも一端に開口部を有し複数の前記小分け袋体を内包したまとめ袋体と、で構成し、前記小分け袋体に封入した前記活性炭素から放出した流体が前記小分け袋体及び前記まとめ袋体を透過することを特徴とする植物生育補助体を提供する。
【考案の効果】
【００１１】
本願考案の植物生育補助体は、小分け袋体及びまとめ袋体が活性炭素から放出した酸素等を透過するため、植物の根部に適度の酸素等を供給する。また、前記粒状の活性炭素が前記小分け袋体（さらに、まとめ袋体）に封入されているため、鉢底に配備した受け皿を清掃するときや鉢を移動するとき等の手入れの際に、粒状の活性炭素が散乱しない。
【００１２】
また、本願考案の植物生育補助体は、前記まとめ袋体に、封入する小分け袋体の包数を自由に設定することが可能であるため、鉢の大きさや植物の種類に対応させて粒状の活性炭素の量を増加・調整することが可能であるとともに、前記まとめ袋体自体の供給を増加することや、前記まとめ袋体の閉口部をいったん開口して前記小分け袋体の包数を増加することでも粒状の活性炭素の量を増加・調整することが可能である。
【００１３】
なお、閉口した前記まとめ袋体をいったん開口することで、前記まとめ袋体に一度封入した小分け袋体を取り出すことも可能であり、対象植物の状態などに対応させて粒状の活性炭素の量を減少・調整することも可能である。
【００１４】
前述したように、本願考案の植物生育補助体は、粒状の活性炭素の量については多くの調整方法を採用することが可能であり、鉢の大きさや植物の種類あるいは対象植物の状態などに対応させて供給する粒状の活性炭素の量を増減・調整することは容易である。
【００１５】
また、粒径が１０ミリメートル以下の粒状の活性炭素を使用したことにより、根付き植物の生育がよりよくなった。
【図面の簡単な説明】
【００１６】
【図１】図１は植物生育補助体の全体構成を示した説明図である。
【図２】図２は植物生育補助体の使用態様の一例を示した説明図である。
【図３】図３は植物生育補助体の生産工程（第１工程）を示した説明図である。
【図４】図４は植物生育補助体の生産工程（第２工程）を示した説明図である。
【考案を実施するための形態】
【００１７】
鉢植えの根付きシクラメン又は鉢植えの根付き菊の鉢底に配備した受け皿に、植物生育補助体を水とともに供給した。
【実施例１】
【００１８】
まずは、植物生育補助体の構成について、図１から図４に従い説明する。
【００１９】
植物生育補助体（１）は、粒径が１０ミリメートル以下の粒状の活性炭素（２）と、上端に開口部（３ａ）を有し、前記活性炭素を内包し、前記活性炭素から放出した酸素あるいは当該酸素を溶存した水などの流体を透過させる小分け袋体（３）と、上端に開口部（４ａ）を有し、複数の前記小分け袋体を内包し、前記活性炭素から放出した酸素あるいは当該酸素を溶存した水などの流体を透過させるまとめ袋体（４）とで構成する（図１から図４）。
【００２０】
前記活性炭素（２）について、鉢植えの根付きシクラメン及び鉢植えの根付き菊に対して行った試行結果から最も生育効果が高い活性炭素が、関東化学株式会社の活性炭素（粒状）（Ｃｈａｒｃｏａｌ  ａｃｔｉｖａｔｅｄ，  ｇｒａｎｕｌｅ）を使用したものであった。前記の活性炭素が粒状であり、その粒径が１０ミリメートル以下であるため最も好ましいものと推定した。
【００２１】
なお、前記粒状の活性炭素（２）の量については、鉢の大きさや植物の種類により適切な量は一定ではないものと考える。また、対象植物の状態等により適宜調整（増減）する必要があると考えるが、鉢植えの根付きシクラメン又は鉢植えの根付き菊に対して行った試行経験に基づくと、前記粒状の活性炭素（２）を前記小分け袋体（３）に９粒から１１粒程度（５グラム程度）封入したものを、５包まとめて前記まとめ袋体（４）に封入したものが利用しやすかった。
【００２２】
前記小分け袋体（３）の形状及び大きさについて、たて３０ミリメートル、横４０ミリメートルの矩形の袋体を採用しているが、前記粒状の活性炭素（２）の散乱を防止することができて、かつ、一定程度の粒状の活性炭素が封入できれば、いかなる形状及び大きさであっても許容し得る（図３）。
【００２３】
前記小分け袋体（３）の開口部（３ａ）位置及び開口数について、封入作業及び閉口作業が容易な上端位置に１ケ所の開口部を有するものを採用しているが、前記粒状の活性炭素（２）の散乱を防止することができて、かつ、一定程度の粒状の活性炭素が封入できれば、特に限定されるものではない（図３）。
【００２４】
前記まとめ袋体（４）の形状及び大きさについて、たて９０ミリメートル、横６５ミリメートルの矩形の袋体を採用しているが、前記粒状の活性炭素（２）の散乱を防止することができて、かつ、一定程度の小分け袋体が封入できれば、いかなる形状及び大きさであっても許容し得る。なお、前記小分け袋体（３）を複数まとめて封入するという構造上、前記小分け袋体よりも大きい（図４）。
【００２５】
前記まとめ袋体（４）の開口部（４ａ）位置及び開口数について、封入作業及び閉口作業が容易な上端位置に１ケ所の開口部を有するものを採用しているが、前記粒状の活性炭素（２）の散乱を防止することができて、かつ、一定程度の小分け袋体が封入できれば、特に限定されるものではない（図４）。
【００２６】
前記小分け袋体（３）及び前記まとめ袋体（４）について、植物の根部に適度の酸素が供給されるようにするために、前記粒状の活性炭素から放出した酸素あるいは当該酸素が溶存した水などの流体が前記小分け袋体及び前記まとめ袋体の全体から均等に透過することが好ましいものと推定する。
【００２７】
流体が前記小分け袋体（３）及び前記まとめ袋体（４）を透過するとは、前記粒状の活性炭素から放出した酸素あるいは当該酸素が溶存した水などの流体は透過するが、前記粒状の活性炭素自身（固体）は透過しないことを意図する表現である。
【００２８】
次に、植物生育補助体の使用態様の一例について、図２に従い説明する。
【００２９】
鉢底に配備した受け皿に、植物生育補助体（１）と水を供給する。
【００３０】
鉢底の中央孔を経由して、前記植物生育補助体（１）から放出した酸素あるいは当該酸素を溶存した水が鉢植え植物の根部に到達する。
【００３１】
これにより、前記植物の根部に適度の酸素が供給される。
【００３２】
なお、鉢底に配備した受け皿ではなく、鉢内の土中へ直接前記植物生育補助体（１）を供給した場合であっても、前記植物生育補助体から放出した酸素あるいは当該酸素を溶存した水が鉢植え植物の根部に到達し、前記植物の根部に適度の酸素が供給され得る。
【００３３】
次に、植物生育補助体の生産方法について、図３、図４及び図１に従い説明する。
【００３４】
粒径が１０ミリメートル以下の粒状の活性炭素（２）を小分け袋体（３）の開口部（３ａ）から、９粒から１１粒程度（５グラム程度）封入する（図３）。
【００３５】
その後、前記開口部（３ａ）を加熱し袋体自体を溶かして閉口する。
【００３６】
さらにその後、前記粒状の活性炭素（２）を内包する前記小分け袋体（３）をまとめ袋体（４）の開口部（４ａ）から、５包封入する（図４）。
【００３７】
その後、前記開口部（４ａ）を加熱し袋体自体を溶かして閉口する（図１の状態）。
【００３８】
なお、前記小分け袋体（３）及び前記まとめ袋体（４）の開口部の閉口手段について、前述したように加熱により袋体自身を溶かして閉口する手段を採用しているが、前述してきた植物生育補助体の機能を著しく損なう閉口手段でなければその他の閉口手段を採用することも許容し得る。
【産業上の利用可能性】
【００３９】
植物生育補助体は、植物の根部に適度の酸素を供給するものであるとともに、鉢底に配備した受け皿を清掃するときや鉢を移動するとき等の手入れの際に活性炭素が散乱しない等の保守性にも優れた植物生育補助体であるため、産業上の利用可能性を有する。
【符号の説明】
【００４０】
１    植物生育補助体
２    粒状の活性炭素
３    小分け袋体
３ａ  開口部
４    まとめ袋体
４ａ  開口部
【図１】
0003197716.tif 000003
【図２】
0003197716.tif 000004
【図３】
0003197716.tif 000005
【図４】
0003197716.tif 000006
【手続補正書】
【提出日】平成27年3月23日(2015.3.23)
【手続補正１】
【補正対象書類名】実用新案登録請求の範囲
【補正対象項目名】全文
【補正方法】変更
【補正の内容】
【実用新案登録請求の範囲】
【請求項１】
根付き植物の生育又は栽培を補助する植物生育補助体であって、
粒状の活性炭素と、
少なくとも一端に開口部を有する小分け袋体と、
少なくとも一端に開口部を有し前記小分け袋体よりも大きいまとめ袋体と、
で構成し、
前記小分け袋体に前記活性炭素を封入し、さらに前記まとめ袋体に当該小分け袋体を封入した植物生育補助体。
【請求項２】
前記活性炭素の粒径が１０ミリメートル以下である請求項１の植物生育補助体。
【手続補正２】
【補正対象書類名】明細書
【補正対象項目名】全文
【補正方法】変更
【補正の内容】
【考案の詳細な説明】
【技術分野】
【０００１】
本願考案は、根付き植物の根部に適度の酸素を供給する植物生育補助体に関するものである。
【背景技術】
【０００２】
鉢植え等で植物を生育又は栽培する際に重要なことは、植物の根部に適度の酸素が供給されるようにすることである。このことを指摘している従来文献も存在はする（例えば、特許文献１）。
【先行技術文献】
【特許文献】
【０００３】
【特許文献１】特開平９−６５７８４号公報
【考案の概要】
【考案が解決しようとする課題】
【０００４】
前述したように、鉢植え等で根付き植物を生育又は畑等で根付き野菜を栽培する際に植物の根部に適度の酸素が供給されるようにするために、種々の方法が試行錯誤されている。
【０００５】
植物の根部に適度の酸素が供給されるようにするために、活性炭素を利用する方法もいくつかは存在する。出願人も、活性炭素を利用する方法を試行錯誤する過程で、鉢底に配備した受け皿に粒状の活性炭素を直接供給した。このケースにおいて、植物の根部に適度の酸素が供給されているものと思われる生育効果は得られたものの、鉢底に配備した受け皿を清掃するときや鉢を移動するとき等の手入れの際に、粒状の活性炭素が散乱してしまい不便であった。
【０００６】
また、鉢の大きさや植物の種類あるいは対象植物の状態などに対応させて、供給する粒状の活性炭素の量を増減・調整することも面倒であった。
【０００７】
そこで、本願考案が解決しようとする課題は、植物の根部に適度の酸素が供給されるようにすることはもちろんのこと、鉢底に配備した受け皿の清掃をするときや鉢を移動するとき等の手入れの際に、粒状の活性炭素が散乱しない等の保守性にも優れる植物生育補助体を提供することである。
【０００８】
また、本願考案が解決しようとする課題は、鉢の大きさや植物の種類あるいは対象植物の状態などに対応させて、供給する粒状の活性炭素の量を増減・調整することを容易にする植物生育補助体を提供することである。
【課題を解決するための手段】
【０００９】
本願考案は、根付き植物の生育又は栽培を補助する植物生育補助体であって、粒状の活性炭素と、少なくとも一端に開口部を有する小分け袋体と、少なくとも一端に開口部を有し前記小分け袋体よりも大きいまとめ袋体と、で構成し、前記小分け袋体に前記活性炭素を封入し、さらに前記まとめ袋体に当該小分け袋体を封入した植物生育補助体を提供する。
【００１０】
また、本願考案は、根付き植物の生育又は栽培を補助する植物生育補助体であって、粒径が１０ミリメートル以下である粒状の活性炭素と、少なくとも一端に開口部を有する小分け袋体と、少なくとも一端に開口部を有し前記小分け袋体よりも大きいまとめ袋体と、で構成し、前記小分け袋体に前記活性炭素を封入し、さらに前記まとめ袋体に当該小分け袋体を封入した植物生育補助体を提供する。
【考案の効果】
【００１１】
本願考案の植物生育補助体は、小分け袋体及びまとめ袋体が活性炭素から放出した酸素等を透過するため、植物の根部に適度の酸素等を供給する。また、前記粒状の活性炭素が前記小分け袋体（さらに、まとめ袋体）に封入されているため、鉢底に配備した受け皿を清掃するときや鉢を移動するとき等の手入れの際に、粒状の活性炭素が散乱しない。
【００１２】
また、本願考案の植物生育補助体は、前記まとめ袋体に、封入する小分け袋体の包数を自由に設定することが可能であるため、鉢の大きさや植物の種類に対応させて粒状の活性炭素の量を増加・調整することが可能であるとともに、前記まとめ袋体自体の供給を増加することや、前記まとめ袋体の閉口部をいったん開口して前記小分け袋体の包数を増加することでも粒状の活性炭素の量を増加・調整することが可能である。
【００１３】
なお、閉口した前記まとめ袋体をいったん開口することで、前記まとめ袋体に一度封入した小分け袋体を取り出すことも可能であり、対象植物の状態などに対応させて粒状の活性炭素の量を減少・調整することも可能である。
【００１４】
前述したように、本願考案の植物生育補助体は、粒状の活性炭素の量については多くの調整方法を採用することが可能であり、鉢の大きさや植物の種類あるいは対象植物の状態などに対応させて供給する粒状の活性炭素の量を増減・調整することは容易である。
【００１５】
また、粒径が１０ミリメートル以下の粒状の活性炭素を使用したことにより、根付き植物の生育がよりよくなった。
【図面の簡単な説明】
【００１６】
【図１】図１は植物生育補助体の全体構成を示した説明図である。
【図２】図２は植物生育補助体の使用態様の一例を示した説明図である。
【図３】図３は植物生育補助体の生産工程（第１工程）を示した説明図である。
【図４】図４は植物生育補助体の生産工程（第２工程）を示した説明図である。
【考案を実施するための形態】
【００１７】
鉢植えの根付きシクラメン又は鉢植えの根付き菊の鉢底に配備した受け皿に、植物生育補助体を水とともに供給した。
【実施例１】
【００１８】
まずは、植物生育補助体の構成について、図１から図４に従い説明する。
【００１９】
植物生育補助体（１）は、粒径が１０ミリメートル以下の粒状の活性炭素（２）と、上端に開口部（３ａ）を有し、前記活性炭素を内包し、前記活性炭素から放出した酸素あるいは当該酸素を溶存した水などの流体を透過させる小分け袋体（３）と、上端に開口部（４ａ）を有し、複数の前記小分け袋体を内包し、前記活性炭素から放出した酸素あるいは当該酸素を溶存した水などの流体を透過させるまとめ袋体（４）とで構成する（図１から図４）。
【００２０】
前記活性炭素（２）について、鉢植えの根付きシクラメン及び鉢植えの根付き菊に対して行った試行結果から最も生育効果が高い活性炭素が、関東化学株式会社の活性炭素（粒状）（Ｃｈａｒｃｏａｌ  ａｃｔｉｖａｔｅｄ，  ｇｒａｎｕｌｅ）を使用したものであった。前記の活性炭素が粒状であり、その粒径が１０ミリメートル以下であるため最も好ましいものと推定した。
【００２１】
なお、前記粒状の活性炭素（２）の量については、鉢の大きさや植物の種類により適切な量は一定ではないものと考える。また、対象植物の状態等により適宜調整（増減）する必要があると考えるが、鉢植えの根付きシクラメン又は鉢植えの根付き菊に対して行った試行経験に基づくと、前記粒状の活性炭素（２）を前記小分け袋体（３）に９粒から１１粒程度（５グラム程度）封入したものを、５包まとめて前記まとめ袋体（４）に封入したものが利用しやすかった。
【００２２】
前記小分け袋体（３）の形状及び大きさについて、たて３０ミリメートル、横４０ミリメートルの矩形の袋体を採用しているが、前記粒状の活性炭素（２）の散乱を防止することができて、かつ、一定程度の粒状の活性炭素が封入できれば、いかなる形状及び大きさであっても許容し得る（図３）。
【００２３】
前記小分け袋体（３）の開口部（３ａ）位置及び開口数について、封入作業及び閉口作業が容易な上端位置に１ケ所の開口部を有するものを採用しているが、前記粒状の活性炭素（２）の散乱を防止することができて、かつ、一定程度の粒状の活性炭素が封入できれば、特に限定されるものではない（図３）。
【００２４】
前記まとめ袋体（４）の形状及び大きさについて、たて９０ミリメートル、横６５ミリメートルの矩形の袋体を採用しているが、前記粒状の活性炭素（２）の散乱を防止することができて、かつ、一定程度の小分け袋体が封入できれば、いかなる形状及び大きさであっても許容し得る。なお、前記小分け袋体（３）を複数まとめて封入するという構造上、前記小分け袋体よりも大きい（図４）。
【００２５】
前記まとめ袋体（４）の開口部（４ａ）位置及び開口数について、封入作業及び閉口作業が容易な上端位置に１ケ所の開口部を有するものを採用しているが、前記粒状の活性炭素（２）の散乱を防止することができて、かつ、一定程度の小分け袋体が封入できれば、特に限定されるものではない（図４）。
【００２６】
前記小分け袋体（３）及び前記まとめ袋体（４）について、植物の根部に適度の酸素が供給されるようにするために、前記粒状の活性炭素から放出した酸素あるいは当該酸素が溶存した水などの流体が前記小分け袋体及び前記まとめ袋体の全体から均等に透過することが好ましいものと推定する。
【００２７】
流体が前記小分け袋体（３）及び前記まとめ袋体（４）を透過するとは、前記粒状の活性炭素から放出した酸素あるいは当該酸素が溶存した水などの流体は透過するが、前記粒状の活性炭素自身（固体）は透過しないことを意図する表現である。
【００２８】
次に、植物生育補助体の使用態様の一例について、図２に従い説明する。
【００２９】
鉢底に配備した受け皿に、植物生育補助体（１）と水を供給する。
【００３０】
鉢底の中央孔を経由して、前記植物生育補助体（１）から放出した酸素あるいは当該酸素を溶存した水が鉢植え植物の根部に到達する。
【００３１】
これにより、前記植物の根部に適度の酸素が供給される。
【００３２】
なお、鉢底に配備した受け皿ではなく、鉢内の土中へ直接前記植物生育補助体（１）を供給した場合であっても、前記植物生育補助体から放出した酸素あるいは当該酸素を溶存した水が鉢植え植物の根部に到達し、前記植物の根部に適度の酸素が供給され得る。
【００３３】
次に、植物生育補助体の生産方法について、図３、図４及び図１に従い説明する。
【００３４】
粒径が１０ミリメートル以下の粒状の活性炭素（２）を小分け袋体（３）の開口部（３ａ）から、９粒から１１粒程度（５グラム程度）封入する（図３）。
【００３５】
その後、前記開口部（３ａ）を加熱し袋体自体を溶かして閉口する。
【００３６】
さらにその後、前記粒状の活性炭素（２）を内包する前記小分け袋体（３）をまとめ袋体（４）の開口部（４ａ）から、５包封入する（図４）。
【００３７】
その後、前記開口部（４ａ）を加熱し袋体自体を溶かして閉口する（図１の状態）。
【００３８】
なお、前記小分け袋体（３）及び前記まとめ袋体（４）の開口部の閉口手段について、前述したように加熱により袋体自身を溶かして閉口する手段を採用しているが、前述してきた植物生育補助体の機能を著しく損なう閉口手段でなければその他の閉口手段を採用することも許容し得る。
【産業上の利用可能性】
【００３９】
植物生育補助体は、植物の根部に適度の酸素を供給するものであるとともに、鉢底に配備した受け皿を清掃するときや鉢を移動するとき等の手入れの際に活性炭素が散乱しない等の保守性にも優れた植物生育補助体であるため、産業上の利用可能性を有する。
【符号の説明】
【００４０】
１    植物生育補助体
２    粒状の活性炭素
３    小分け袋体
３ａ  開口部
４    まとめ袋体
４ａ  開口部